【事件の表示】
　平成５年特許願第３２５４９６号「画像表示装置及びゲーム装置及び狙撃ゲーム装置」拒絶査定に対する審判事件［平成７年７月２１日出願公開、特開平７−１８１９３４］について、次のとおり審決する。
【結　論】
　本件審判の請求は、成り立たない。
【理　由】
第１　手続の経緯
　本件は、平成５年１２月２２日にされた特許出願（平成５年特許願第３２５４９６号。以下「本件出願」という。）について平成１４年９月６日付けで拒絶査定がされ、同月１７日に発送されたところ、同年１０月１６日に拒絶査定に対する審判が請求されるとともに手続補正書が提出されたものである。
　
第２　本件出願に係る発明について
　本件出願の請求項１に係る発明（以下「本願発明」という。）は、平成１４年１月８日付け手続補正書及び平成１４年１０月１６日付け手続補正書により補正された明細書及び図面の記載からみて、その特許請求の範囲の請求項１に記載された次のとおりのものである。（なお、平成１２年１２月２２日付け手続補正書及び平成１４年４月３０日付け手続補正書は、いずれも、却下されている。）
「【請求項１】第１の表示装置に大まかな第１の画像を表示する第１の画像表示手段と、
　該第１の画像の内の任意の領域を選択する選択手段と、
　該選択手段により選択された領域を検出する検出手段と、
　該検出手段からの検出信号に応じて、該第１の画像の内の選択手段により選択された領域の、該第１の画像に含まれない構成を含む、予め画像データとして用意された細かな画像を第２の表示装置に表示させる第２の画像表示手段と、
　を具備してなることを特徴とする画像表示装置。」
　
第３　引用刊行物に記載された発明
　原査定の拒絶の理由に引用された実願平１−１３７９７３号（実開平３−７７９７６号）のマイクロフィルム（以下「刊行物１」という。）には、図面とともに、「［産業上の利用分野］この考案は、望遠鏡を使用して行う観測を含む作業、例えば、操船時の他船の船種判別や、動きの見張りや、観測の訓練を実作業時と同様の臨場感で実施できるようにした、各種のシミュレータの一構成部分である模擬視界装置に関するものである。」（明細書２頁７〜１３行）、「［考案が解決しようとする課題］このような従来の模擬視界装置においては、・・・拡大率の高い実物の望遠鏡で直接観察したとき、模擬光景画像の各画素が大きく見えて、観測の対象となる物体の細部が見えず、反対に非常に粗く見えてしまう。そのため、・・・シミュレータにおいて期待されるべき運用効果が得られなくなってしまう。」（明細書３頁７行〜４頁３行）、「［課題を解決するための手段］上記課題を解決するため、本考案に係る模擬視界装置は、広視角の模擬視界光景画像と、この画像の一部分の精細な狭視角模擬視界光景画像を電子的に発生する画像発生装置と、・・・広視角の模擬光景画像を大型スクリーンに拡大投写するビデオプロジェクタと、不可視光線ビーム投射器を備え、かつ、小型の画像表示器を内蔵した模擬望遠鏡と、前記大型スクリーン全面を視野とする不可視光線画像撮影カメラと、・・・不可視光線スポット位置検出器とからなる模擬視界装置であって、前記大型スクリーン面上の不可視光線スポット位置を基準とした精細な狭視角模擬光景画像を前記画像発生装置に発生させ、この狭視角精細画像を前記模擬望遠鏡に内蔵した画像表示器に表示させるようにしたことを特徴とするものである。」（明細書４頁４行〜５頁４行）、「［作用］この考案に係る模擬視界装置によれば、観測者がスクリーンに投写されている観測対象物を含む模擬光景画像を模擬望遠鏡を用いて観測するときに、（ア）この模擬望遠鏡に備えられた赤外線ビーム投射器で構成する不可視光線ビーム投射器がスクリーン面上に投射する赤外線スポットを、スクリーン面を向いた赤外線カメラで構成する不可視光線画像撮像カメラで撮像し、（イ）不可視光線スポット位置検出器としての赤外線画像位置検出器が、この不可視光線画像撮像カメラによる撮像信号を処理してスクリーン面上の赤外線スポット位置を検出し、（ウ）望遠鏡視野内画像発生装置が、この赤外線スポット位置信号を受けて、この位置を中心とし、かつ、望遠鏡の視野に相当する狭視角の望遠鏡視野内の模擬光景の精細画像のビデオ信号を発生し、この模擬光景画像を模擬望遠鏡内の画像表示装置に表示させるようにしている。このとき、望遠鏡視野内画像発生装置は、狭視野の画像を例えば５００×６５０画素以上の画素数を持つ精細画像を発生するので、観察者に提供される望遠鏡内視界光景画像の精細度は、例えば望遠鏡の視野を８度とすると・・・スクリーンに投写されている広視角光景画像（４０度×３０度）に比べて５倍改善され、さらに、従来のような望遠鏡でスクリーンに投写されている広視角光景画像を直視する場合に比較して・・・２５倍改善されるようになる。」（明細書５頁５行〜６頁１４行）、「［実施例］第１図は、この考案に係る模擬視��装置の一実施例の構成を説明する図である。第１図において、１は画像発生装置、１Ａは望遠鏡視野内画像発生装置、２はビデオプロジェクタ、３は観測者の前方に配置されるスクリーン、４は模擬望遠鏡であり、後述するように赤外線投射器を備えるとともに、画像表示器を内蔵する。５はスクリーン３の全面を視野とする赤外線カメラ、６は赤外線画像位置検出器である。画像発生装置１はスクリーン３にビデオプロジェクタ２によって広角投写される模擬光景画像ビデオ信号をディジタル計算処理を行って電子的に発生させる。望遠鏡視野内画像発生装置１Ａは、赤外線画像位置検出装置６から、スクリーン３上の赤外線スポットＳの位置に関するデータ６Ｄを得て、望遠鏡視野内の模擬光景画像ビデオ信号を発生させる。該模擬光景画像ビデオ信号は、上記の広角投写される模擬光景画像ビデオ信号による画像の一部分を表示するための精細なビデオ信号であり、ディジタル計算処理を行って電子的に発生させたものである。」（明細書６頁１５行〜７頁１５行）、「画像発生装置１は、観測者が観測する光景の模擬画像ビデオ信号１Ｄを発生している。例えば、この考案による模擬視界装置が操船訓練用シミュレータに利用されるとき、画像発生装置１は模擬航行する船の前方に見える光景を模擬する画像を発生する。このとき、この画像の視野は、例えば横４０度×縦３０度、また、画像の精細度は、例えば走査線数５００本以上で走査線に沿った画素数６５０以上である。・・・観測者が、スクリーン３上に見える模擬光景の中に、注意すべき視認対象物を視認し、その形状や動きの詳細を知るべく、スクリーン３上のその方向を模擬望遠鏡４で見たとき、この模擬望遠鏡４に備えられている赤外線投射器が模擬望遠鏡４の光軸方向前方のスクリーン３上に赤外線ビームを投写する。スクリーン３の全面を視野とする赤外線カメラ５は、模擬望遠鏡４の赤外線投射器からスクリーン３の面上に投射された目に見えない赤外線スポットＳを撮像し、スクリーン面撮像信号を赤外線画像位置検出装置６に対して送出する。画像発生装置１は、赤外線画像検出器６から、スクリーン３上に模擬望遠鏡４から投射される赤外線スポットＳの位置（Ｘ、Ｙ）に関するデータ６Ｄ、すなわち、模擬望遠鏡４の光軸方向に対応したデータを得て、望遠鏡視野内画像発生装置１Ａを制御し、望遠鏡の視野対応の画面、例えば、横８度×縦６度の視野の模擬光景画像のビデオ信号を発生する。この望遠鏡視野内画像の画素数は、画像発生装置１が発生する広角模擬画像光景の画素数と同様で、縦５００×横６５０以上である。このとき、視力１．５以上に相当する高解像度の画像が模擬望遠鏡４に表示される。この望遠鏡視野内模擬光景のビデオ信号すなわち望遠鏡視野内画像信号１ａＤは、模擬望遠鏡４に送出される。模擬望遠鏡４が内蔵している画像表示器を見ることにより、解像度が大きくなった望遠鏡内視界の模擬光景画像を観測できる。」（明細書８頁３行〜１０頁６行）、「次に、模擬望遠鏡４の一実施例の構成を第３図により説明する。第３図において、・・・４２は望遠鏡視野内光景の模擬画像の表示器、４３は小型の液晶型ＴＶ画像表示パネル・・・であって、液晶型ＴＶ画像表示パネル４３面の望遠鏡視野内画像の虚��を観測者の見易い位置に結像させる。液晶型ＴＶ画像表示パネル４３が表示する望遠鏡内画像は、画素数５００×６５０以上の精細な画像であり、・・・画像発生装置１の望遠鏡視野内画像発生装置１Ａからのものである。」（明細書１１頁１８行〜１２頁１３行）、「［考案の効果］以上説明したように、この考案に係る模擬視界装置は、望遠鏡で観測する望遠鏡視野内光景画像に対しても、望遠鏡の使用に対応した精細な解像度を有する模擬光景画像を、模擬視界装置の利用者に提供できるようになり、例えば、この考案に係る模擬視界装置を、操船シミュレータに利用したとき、遠方の船舶の船種や針路、距離や速度などの望遠鏡による視認判定の訓練を実施することが可能となる。」（明細書１３頁１４行〜１４頁３行）との記載がされている。
　
第４　対比・判断
　本願発明と刊行物１に記載された発明とを対比すると、刊行物１に記載されたビデオプロジェクタ２とスクリーン３、液晶型ＴＶ画像表示パネル４３、画像発生装置１の広視角の模擬視界光景画像の表示に関する部分、模擬視界装置は、それぞれ本願発明の「第１の表示装置」、「第２の表示装置」、「第１の画像表示手段」、「画像表示装置」に相当し、また、刊行物１に記載された発明では赤外線ビーム投射器４１、赤外線カメラ５、赤外線画像位置検出器６、望遠鏡視野内画像発生装置１Ａを用い、赤外線スポット位置信号を受けてこの位置を中心とし望遠鏡の視野に相当する領域の精細画像のビデオ信号を発生させているから、広視角の模擬視界光景画像内の任意の領域を選択し、選択された領域を検出しているということができ、更に、刊行物１に記載された狭視角模擬視界光景画像の精細度は広視角の模擬視界光景画像に比べて５倍改善されており、狭視角模擬視界光景画像は広視角の模擬視界光景画像に含まれない構成を含む細かな画像であるということができるから、刊行物１に記載された赤外線ビーム投射器４１、赤外線カメラ５と赤外線画像位置検出器６と望遠鏡視野内画像発生装置１Ａは、予め画像データとして用意されたものを用いる点を除き、本願発明の「選択手段」、「検出手段」と「第２の画像表示手段」に相当する。
　そうすると、本願発明と刊行物１に記載された発明とは、「第１の表示装置に大まかな第１の画像を表示する第１の画像表示手段」と、「該第１の画像の内の任意の領域を選択する選択手段」と、「該選択手段により選択された領域を検出する検出手段」と、「該検出手段からの検出信号に応じて、該第１の画像の内の選択手段により選択された領域の、該第１の画像に含まれない構成を含む」「細かな画像を第２の表示装置に表示させる第２の画像表示手段」と、を具備する「画像表示装置」である点で一致し、次の点で相違する。
　相違点　本願発明では第２の表示装置に表示させる細かな画像が「予め画像データとして用意された」ものである点につき、刊行物１にはこのような記載がされていない点。
　この相違点について検討すると、画像表示を行う場合に予め画像データを用意することは慣用手段であり、このような技術手段を刊行物１に記載された発明に適用して上記相違点のようにすることは当業者が適宜に行い得ることである。
　そうすると、本願発明は、当業者が刊行物１記載の発明に基づいて容易に発明をすることができたものである。
　なお、請求人は、刊行物１に記載された画像は、いわば骨格から略予想される範囲内で該骨格に肉付けして高精細化して画像の詳細を確認するものであるということができ、これに対して、本願発明は、細かな画像において、大まかな画像に含まれない構成を含んで表示するものであり、これにより臨場感が増した状態でゲーム等を行うことができるものであると主張する。
　しかしながら、刊行物１には、骨格から略予想される範囲内で該骨格に肉付けして高精細化して画像の詳細を確認するという記載はされていない。刊行物１に記載された発明においては、物体の細部が見えないという問題を解決するために望遠鏡の使用に対応した精細な解像度を有する狭視角模擬視界光景画像を模擬視界装置の利用者に提供しているのであるから、画像を精細な解像度のものとして物体の細部が見えるようにするために、狭視角模擬視界光景画像は広視角の模擬視界光景画像に含まれない構成を含んでいるということができ、刊行物１に記載された発明は、本願発明と同様に、細かな画像において、大まかな画像に含まれない構成を含んで表示するものであるということができる。そして、刊行物１に記載された発明も、その産業上の利用分野の項に記載されているように「実作業時と同様の臨場感」を持たせるようにしたものであり、本願発明と同様の効果を奏するものである。したがって、請求人の主張は、根拠のあるものということができない。
　
第５　むすび
　以上のとおりであるから、本願請求項１に係る発明は特許法２９条２項の規定により特許を受けることができないものであり、本願請求項２ないし８に係る発明について検討するまでもなく、本願は、拒絶をすべきものである。
　よって、結論のとおり審決する。